(57)【要約】      （修正有）【課題】木材の丸太を有効利用し、耐久性とともに安定度を向上させ、かつ適度な配分となる部材に分割し、ファッション性を高め、ペットに安心感を持たせた丸太切り抜きの丸太のファッションペット小屋を提供する。【解決手段】ペット飼育用小屋において、直径２００〜６００ｍｍの丸太木材を内部で切り抜いた小屋であって、安定に設置するために丸太の一端で１００〜２５０ｍｍ幅に平坦状態を保つように切り削き、丸太の縁の厚さを２０〜４０ｍｍになるように内部を切り抜いて、空洞部５内部が直径１５０〜５５０ｍｍ、長さ３００〜６００ｍｍで、平面平坦底部６を８０〜２３０ｍｍ幅の部屋になった丸太１にして、丸太１の外周部に２０〜４０ｍｍ幅の皮製、又は金属製のベルト２を２〜４本巻いて、中央部のベルト２本の上部に跨って取手８を取り付けている。【選択図】図１
0003196525.tif 000002
【実用新案登録請求の範囲】
【請求項１】
ペット飼育用小屋において、直径２００〜６００ｍｍの丸太木材を内部で切り抜いた小屋であって、安定に設置するために丸太の一端で１００〜２５０ｍｍ幅に平坦状態を保つように切り削き、丸太の縁の厚さを２０〜４０ｍｍになるように内部を切り抜いて、空洞部内部が直径１５０〜５５０ｍｍ、長さ３００〜６００ｍｍで、平坦底部を８０〜２３０ｍｍ幅の部屋になった丸太にして、前記丸太の外周部に２０〜４０ｍｍ幅の皮製、又は金属製のベルトを２〜４本巻いて、中央部のベルト２本の上部に跨って取手を取り付けていることを特徴とする丸太のファッションペット小屋。
【請求項２】
丸太の木材は、木質の硬さとして軟質であるイチョウの木、楠木、桐木、杉木、檜木、アカマツ木から選ばれた、直径２００〜６００ｍｍであって、１〜３年間寝かせたものであり、長さとして４００〜６００ｍｍで、外皮を剥いで、ひび割れを存在していなく、丸太表面を木質の特性を出していることを特徴とする請求項１に記載の丸太のファッションペット小屋。
【請求項３】
丸太の外周を巻く皮製、又は金属製のベルトは、２〜４本の２０〜４０ｍｍ幅、２〜５ｍｍ厚さで、丸太の長さで１００〜３００ｍｍの間隔で円周に巻き付けて取り付け、皮製として牛皮、馬皮、鹿皮で、又は金属製としてスチール、又はアルミニウムであって、小屋の持ち運び、又は移動を容易にするために、丸太の中心部にある二本のベルト間に掛けた皮製取手を取り付けられるようになっていることを特徴とする請求項１、又は請求項２に記載の丸太のファッションペット小屋。
【請求項４】
丸太の切り抜きは、円周縁の厚さを２０〜４０ｍｍの範囲で切り抜き内部表面を研磨して表面性を持たせ、内部底面にペットを休息できる８０〜２３０ｍｍ幅、３００〜６００ｍｍ長さの長方形の平面平坦部を持たせるようにした部屋になっていることを特徴とする請求項１〜請求項３のいずれかに記載の丸太のファッションペット小屋。
【考案の詳細な説明】
【技術分野】
【０００１】本考案は、室内にペット用としてファッション的に設置することを目的に特定の木材の丸太を切り抜き、ペットの安心感と外表面に意匠性を持たせた丸太のファッションペット小屋に関する。
【背景技術】
【０００２】従来としては、デザイン性、機能性としてペット小屋の全周壁面に扉を開閉可能な状態で設け、扉を全開状態に設定してから、ねじ止めにより固定することで通風を得たり、屋根部分を上昇させて固定することで、天井からも風の出入りができるようにしたりするものがある（特許文献１参照）。また、天井部分を有効活用するペット小屋としては、屋根の頂部下側に収納ケースを、スライド可能に配設して、ブラシ等を収容可能にしたものもある（特許文献２参照）。【０００３】従来に提供されている木製の犬小屋は、平板状の板材で組み立てられているものであるから、全体が軽量であり、地面に対して何らかの固定手段を要することと、組立て式で提供しようとすると、素人でのビス止めや釘打ちの場合にはしっかりした接合が難しいなどの問題点が内在していたものである。そのためデザイン性が欠けるものであった。【０００４】ペット居住室内の通気性と清掃とが、簡単にできる犬小屋の提供を目的として、底板の対向するそれぞれの辺に第１の側壁である台形壁を設けると共に、この台形壁のそれぞれの傾斜辺に第２の側壁である固定壁と開閉壁とを配設して、台形壁の頂部側で平坦面を形成するとともに、開閉可能な状態で天板を配設して犬小屋が提案されている（特許文献３参照）。【０００５】またペット小屋として、外面材が小径木を半割りした半月状部材を多段に密着配列したものから成る前妻部材と後妻部材、左右一組の側部材、屋根部材、矩形板の四隅を面取りした床部材、丸材の断面中心より棟角度に相当する角度の切欠きを有する棟部材とから成って、小径木、主として間伐材を有効利用し、簡易に組立てできる組立て犬小屋が提供されている（特許文献４参照）。【０００６】さらに底面部から一対の側面部が互いに対向して立設されると共に、前記底面部から正面部及び背面部が互いに対向し且つ前記側面部に隣接して立設される箱体と、屋根面部を有すると共に前記箱体の上部開口を覆う屋根体とを備え、前記正面部に出入開口を有するペット小屋において、前記屋根体の最も高い位置にある屋根頂部と、前記屋根面部に突設された突出部材の頂部とを同一の高さに設定したペット小屋が提案されている（特許文献５参照）。
しかし丸太を切り抜いて製作され、デザイン性を高めた犬小屋は存在しない。
【先行技術文献】
【特許文献】
【０００７】
【特許文献１】特開２００１−２０４２８９号公報
【特許文献２】特開平１１−８９４６９号公報
【特許文献３】特開２００４−２６１１６３号公報
【特許文献４】実開平０５−０６３２５６号公報
【特許文献５】実用新案登録３１０２８７０号公報
【考案の概要】
【考案が解決しようとする課題】
【０００８】一般に室内用ペットの小屋は、木製板、樹脂製など組み立て型で存在するが、部屋とのマッチングも十分ではない。また木材で製作されたペット小屋は、木製板を貼り合わせて、小屋全周壁面に扉を設けたりして通風効果を得ることはできるが、それぞれの製作の操作で壁、扉などの取り付けで、扉は通風性、居住性の調整ができない全開又は閉鎖のどちらか一方しか選べない構造であって、ペットの居心地もあまりよくなく、また機能性を主体にして、部屋にマッチしてファッション性も十分でない。【０００９】ペット小屋として、一般に板、合板、丸太棒を組み合わせた組み立て小屋であり、室内で飼育する場合に室内にマッチしていない。そこで部屋の内空間を有効活用できて、専用の設置場所や、移動可能な状態にすることを必要として、ファンション性も高めて、高価になるだけでなく、全体の構造で部屋にマッチしてシンプルになることが求められている。【００１０】本考案は、簡単な操作で通風状況を変えることができると共に、室内の清掃が簡単にできるペット小屋の提供を目的とする。また木材の丸太全体を有効利用し、耐久性とともに安定度を向上させ、かつ適度な装飾性を外部に取り入れて、ファッション性を高め、ペットに安心感を持たせた丸太全体を切り抜きの丸太形状をファッションにしたペット小屋を提供するものである。
【課題を解決するための手段】
【００１１】ペット飼育用小屋において、直径２００〜６００ｍｍの丸太木材を内部で切り抜いた小屋であって、安定に設置するために丸太の一端で１００〜２５０ｍｍ幅に平坦状態を保つように切り削き、丸太の縁の厚さを２０〜４０ｍｍになるように内部を切り抜いて、空洞部内部が直径１５０〜５５０ｍｍ、長さ３００〜６００ｍｍで、平坦底部を８０〜２３０ｍｍ幅の部屋になった丸太にして、前記丸太の外周部に２０〜４０ｍｍ幅の皮製、又は金属製のベルトを２〜４本巻いて、中央部のベルト２本の上部に跨って取手を取り付けている丸太のファッションペット小屋である。【００１２】丸太の木材は、木質の硬さとして軟質であるイチョウの木、楠木、桐木、杉木、檜木、アカマツ木から選ばれた、直径２００〜６００ｍｍであって、１〜３年間寝かせたものであり、長さとして４００〜６００ｍｍで、外皮を剥いで、ひび割れを存在していなく、丸太表面を木質の特性を出している。【００１３】丸太の外周を巻く皮製、又は金属製のベルトは、２〜４本の２０〜４０ｍｍ幅、２〜５ｍｍ厚さで、丸太の長さで１００〜３００ｍｍの間隔で円周に巻き付けて取り付け、皮製として牛皮、馬皮、鹿皮で、又は金属製としてスチール、アルミニウムであって、小屋の持ち運び、又は移動を容易にするために、丸太の中心部にある二本のベルト間に掛けた皮製取手を取り付けられるようになっている。【００１４】丸太の切り抜きは、円周縁の厚さを２０〜４０ｍｍの範囲で切り抜き内部表面を研磨して表面性を持たせ、内部底面にペットを休息できる８０〜２３０ｍｍ幅、３００〜６００ｍｍ長さの長方形の平面平坦部を持たせるようにした部屋になっている。
【考案の効果】
【００１５】以上のように本考案の丸太のファッションペット小屋によれば、木材の丸太の内部を切り抜き、外部に円周にベルトを設けて、部屋内に設置する場合には部屋のファッション性が高められ、部屋の雰囲気が大きく変わってきた。また丸太を使用しているため、接続具として金属、あるいは接着剤を使用していないのでペットには安全である。抜群の耐久度を有するほか、丸太木材の有効利用の面での波及効果を奏するものである。【００１６】ペット小屋として、部屋の内空間を有効活用できて、専用の設置場所や、移動可能な状態にすることを必要として、ファッション性も高めて、ペットに安心感を持たせた丸太切り抜きの丸太であって、通気性もよく、さらに清掃にも適している。
【図面の簡単な説明】
【００１７】
【図１】丸太のファッションペット小屋の斜視図
【図２】丸太のファッションペット小屋の断面図
【図３】丸太のファッションペット小屋の正面の図
【図４】丸太のファッションペット小屋内にペットがいる状態図
【考案を実施するための形態】
【００１８】本考案を図によって説明する。図１は、丸太のファッションペット小屋の斜視図、図２は、丸太のファッションペット小屋の断面図、図３は、丸太のファッションペット小屋の外表面の図、図４は、丸太のファッションペット小屋内にペットがいる状態図を示す。
【実施例１】
【００１９】図１に示すように、ペット飼育用小屋において、直径４００ｍｍの木材の丸太を切り抜いた小屋であって、固定するために丸太の幅１５０ｍｍの平面を持つように切り削いで、丸太の内部を厚さ２５ｍｍの縁を残して、切り抜いて直径が２５０ｍｍ、長さ５００ｍｍ、平面底部の幅を１３０ｍｍの空洞部をもった丸太であって、丸太の外部面に幅３０ｍｍの皮製ベルトを４本巻いて、中央部のベルトの上部の２本に跨って皮製の取手を取り付けた。【００２０】丸太の木材は、木質の硬さとして軟質であるイチョウの木、直径４００ｍｍであって、外皮を剥いだ２年間寝かせたものであり、長さとして５００ｍｍで、節、ひび割れ、欠損を存在していなく、丸太表面を木質の特性を出して光沢を持たせた。【００２１】図３に示すように、丸太の外周を巻く皮製のベルトは、４本の幅３０ｍｍ、厚さ２ｍｍで、丸太の長さで２００ｍｍの間隔で巻き付けて取り付け、皮製として牛皮であって、小屋の持ち運び、又は移動を容易にするために、丸太の中心部にある二本のベルト間に掛けた皮製取手が取り付けた。【００２２】丸太の切り抜きは、円周縁の厚さを３０ｍｍの範囲で切り抜き内部表面を研磨して表面性を持たせ、底面にペットを休息できる幅１３０ｍｍ、長さ５００ｍｍの長方形の平面を持たせた。
【実施例２】
【００２３】ペット飼育用小屋において、直径３５０ｍｍの木材の丸太を切り抜いた小屋であって、固定するために丸太の幅１５０ｍｍの平面平坦を持つように切り削いで、丸太の内部を厚さ２５ｍｍの縁を残して、切り抜いて直径が２９０ｍｍ、長さ５００ｍｍ、平面底部の幅を１５０ｍｍの空洞部をもった丸太であって、丸太の外部面に幅３０ｍｍの金属製のベルトを４本巻いて、中央部のベルトの上部の２本に跨って取手を取り付けた。【００２４】丸太の木材は、木質の硬さとして軟質である桐木から選ばれた、直径３５０ｍｍであって、外皮を剥いだ１年間寝かせたものであり、長さとして５００ｍｍで、節、ひび割れ、欠損を存在していなく、丸太表面を木質の特性を出して光沢を持たせた。【００２５】丸太の外周を巻く金属製のベルトは、４本の幅３０ｍｍ、厚さ３ｍｍで、丸太の長さで１５０ｍｍの間隔で巻き付けて取り付け、金属製としてスチールであって、小屋の持ち運び、又は移動を容易にするために、丸太の中心部にある二本のベルト間に掛けた皮製取手が取り付けた。【００２６】丸太の切り抜きは、円周縁の厚さを３０ｍｍの範囲で切り抜き内部表面を研磨して表面性を持たせ、底面にペットを休息できる幅１５０ｍｍ、長さ５００ｍｍの長方形の平面を持たせた。
【実施例３】
【００２７】ペット飼育用小屋において、直径４５０ｍｍの木材の丸太を切り抜いた小屋であって、固定するために丸太の幅２００ｍｍの平面を持つように切り削いで、丸太の内部を厚さ３０ｍｍの縁を残して、切り抜いて直径が４００ｍｍ、長さ６００ｍｍ、平面底部の幅を２００ｍｍの空洞部をもった丸太であって、丸太の外部面に幅３０ｍｍの皮製のベルトを２本巻いて、中央部のベルトの上部の２本に跨って取手を取り付けた。【００２８】丸太の木材は、木質の硬さとして軟質である楠木から選ばれた、直径４５０ｍｍであって、外皮を剥いだ３年間寝かせたものであり、長さとして６００ｍｍで、節、ひび割れ、欠損を存在していなく、丸太表面を木質の特性を出して光沢を持たせた。【００２９】丸太の外周を巻く皮製、又は金属製のベルトは、２本の幅３０ｍｍ、厚さ２．５ｍｍで、丸太の長さで２００ｍｍの間隔で巻き付けて取り付け、皮製として牛皮であって、小屋の持ち運び、又は移動を容易にするために、丸太の中心部にある二本のベルト間に掛けた皮製取手が取り付けた。【００３０】丸太の切り抜きは、円周縁の厚さを３０ｍｍの範囲で切り抜き内部表面を研磨して表面性を持たせ、底面にペットを休息できる幅２００ｍｍ、長さ４００〜６００ｍｍの長方形の平面を持たせた。
【符号の説明】
【００３１】１．丸太
２．ベルト
３．ペット
４．縁部
５．空洞部
６．平面平坦部
７．切り抜き部
８．取手
【図１】
0003196525.tif 000003
【図２】
0003196525.tif 000004
【図３】
0003196525.tif 000005
【図４】
0003196525.tif 000006